(57)【要約】      （修正有）【課題】エプロンの着脱が誰でも簡単、且つ、迅速に出来、且つ、食べ零しがあっても確実にキャッチする為、床面上に落下して汚れる心配が無く、しかも袖部の汚れも防止可能にする乳幼児用袖・ポケット付エプロンを提供する。【解決手段】全面を表裏二枚構造に縫着したエプロン胸当部と、エプロン胸当の上部左右にそれぞれ設けた袖部と、エプロン胸当の下部裏面部に設けた表裏二枚構造のポケット部から成り、且つ、袖の付根背面には左右の袖を重合させる重合部をそれぞれ設け、且つ、重合部の表裏にはファスナー等の係止部材を縫着し固着可能にして設け、且つ、食事時等に使用する時は、食べ零した物が入り易い様にポケットを表面側に裏返して使用する。【選択図】図３
0003120515.tif 000002
【実用新案登録請求の範囲】
【請求項１】
ポケットを有するエプロンにおいて、該エプロンは全面を表裏二枚構造に縫着したエプロン胸当（１）部と、エプロン胸当の上部左右にそれぞれ設けた袖（３ａ）（３ｂ）部と、エプロン胸当の下部裏面部に設けた表裏二枚構造のポケット（２）部から成り、且つ、該袖（３ａ）（３ｂ）の付根背面には左右の袖を重合させる重合部（３ａ’）（３ｂ’）をそれぞれ設け、且つ、該重合部（３ａ’）（３ｂ’）の表裏にはファスナー等の係止部材（Ｆ）（Ｆ’）を縫着し固着可能にして設け、且つ、食事時等に使用する時は、食べ零した物が入り易い様にポケット（２）を表面側に裏返して使用する事を特徴とする乳幼児用袖・ポケット付エプロン。
【考案の詳細な説明】
【技術分野】
【０００１】
この考案は、乳幼児用袖・ポケット付エプロンに関するものである。
【背景技術】
【０００２】
従来、乳幼児が食事時等に胸元に掛けて使用するエプロンは、食べ零しが多く、食事の後の掃除が大変で、又、涎等で汚れ易く洗濯等の手間が掛かり大変であった。
【０００３】
又、従来のエプロンは胸元部のみに当てて使用するタイプで、特に乳児から幼児になる頃には運動量も活発に成り、食事時でもじっとしていない為、胸元以外の両腕部にも涎や食べ零しを着けて衣服を汚してしまうというのが現状である。
【０００４】
又、エプロンの着脱も紐で結ぶものが多く、食事毎に紐で結ぶ手間は、特に多忙な主婦にとっては大変煩わしさがあった。
【０００５】
これまでに出願されている乳児用エプロンの特許文献を参考の為、紹介する。（特許文献１〜２参照。）
【特許文献１】特開平１０−２３７７１２
【特許文献２】登録実用新案第３０９２６５４号
【考案の開示】
【考案が解決しようとする課題】
【０００６】
そこで、上記課題を解決する為に、この考案はエプロンの着脱が誰でも簡単、且つ、迅速に出来、且つ、食べ零しがあっても確実にキャッチする為、床面上に落下して汚れる心配が無く、しかも袖部の汚れも防止可能にする乳幼児用袖・ポケット付エプロンを開発・提供する事にある。
【課題を解決するための手段】
【０００７】
この課題を解決する為の手段として、全面を表裏二枚構造に縫着したエプロン胸当部と、エプロン胸当の上部左右にそれぞれ設けた袖部と、エプロン胸当の下部裏面部に設けた表裏二枚構造のポケット部から成り、且つ、該袖の付根背面には左右の袖を重合させる重合部をそれぞれ設け、且つ、該重合部の表裏にはファスナー等の係止部材を縫着し固着可能にして設け、且つ、食事時等に使用する時は、食べ零した物が入り易い様にポケットを表面側に裏返して使用するものである。
【考案の効果】
【０００８】
この考案の効果として、全面を表裏二枚構造に縫着したエプロン胸当部と、エプロン胸当の上部左右にそれぞれ設けた袖部と、エプロン胸当の下部裏面部に設けた表裏二枚構造のポケット部から成り、且つ、該袖の付根背面には左右の袖を重合させる重合部をそれぞれ設け、且つ、該重合部の表裏にはファスナー等の係止部材を縫着し固着可能にして設け、且つ、食事時等に使用する時は、食べ零した物が入り易い様にポケットを表面側に裏返して使用する事で、エプロンの着脱が誰でも簡単、且つ、迅速に出来、且つ、ポケットにより食べ残した物や涎等を確実にキャッチする事で、掃除の手間が省け、しかも左右両袖部の汚れも防止可能にする等、極めて有益なる効果を奏するものである。
【考案を実施するための最良の形態】
【０００９】
この考案の最良の形態として、乳幼児の体格（身長・胸囲・胴囲・袖丈）に適合した段階的な寸法形状に形成する事が重要である。
【実施例１】
【００１０】
そこで、この考案の一実施例を図１〜図２に基づいて詳述すると、ポケットを有するエプロンにおいて、該エプロンは全面を表裏二枚構造に縫着したエプロン胸当（１）部と、エプロン胸当の上部左右にそれぞれ設けた長袖（３ａ）（３ｂ）部と、エプロン胸当の下部裏面部に設けた表裏二枚構造のポケット（２）部から成り、且つ、該長袖（３ａ）（３ｂ）の付根背面には左右の袖を重合させる重合部（３ａ’）（３ｂ’）をそれぞれ設け、且つ、該重合部（３ａ’）（３ｂ’）の表裏にはファスナー等の係止部材（Ｆ）（Ｆ’）を縫着し固着可能にして設け、且つ、食事時等に使用する時は、食べ零した物が入り易い様にポケット（２）を表面側に裏返して使用する事を特徴とする乳幼児用袖・ポケット付エプロンから構成される。
【００１１】
次に、この考案の材質・寸法形状等、詳細について説明すると、まずエプロン胸当（１）部及びポケット部の表面部（１ａ）はポリエステル６５％・綿３５％で、裏面部（１ｂ）はナイロン１００％の二枚構造で、長袖部はポリエステル６５％・綿３５％の一枚構造に形成され、袖の付根背面には左右の袖を重合させる重合部（３ａ’）（３ｂ’）をそれぞれ設け、左右両袖口部はゴム紐を通した絞り型に形成し、且つ、該重合部（３ａ’）（３ｂ’）の表裏にはファスナー等の係止部材（Ｆ）（Ｆ’）を縫着し固着可能にして設けている。又、先に述べた袖部の長さに関しては、長袖に限る事は無く、中袖、半袖にしても構わない。
【００１２】
又、エプロン胸当（１）部、及び、ポケット部の縁部、又、袖の付根から首周りに架けて縁飾部材（４ａ）（４ｂ）（４ｃ）をそれぞれ縫着して、品質や美観の向上を図っている。
【００１３】
そして、寸法サイズ（身長・胸囲・胴囲・袖丈等）は乳児から幼児までの大きさを段階的に変えて、最適な寸法サイズが選定可能に成っている。
【００１４】
次に、この考案の使用方法について説明すると、図３に示す様にエプロン胸当（１）部の下部裏面部に設けたポケット（２）を予め裏返しに反転させ、ポケット（２）が表面側に成る様にした後、図４（Ａ）に示す様にポケット（２）に食べ零した物が入り易い様に口を拡げ、乳幼児の身体に着させる。そして、長袖（３ａ）（３ｂ）の付根背面に設けたファスナー等の係止部材（Ｆ）（Ｆ’）でしっかり固着する。
【００１５】
図４（Ｂ）は、図４（Ａ）のａ部拡大詳細図で、図４（Ｃ）は、図４（Ａ）のｂ部拡大詳細図である。
【産業上の利用可能性】
【００１６】
この考案の乳幼児用袖・ポケット付エプロンは、着脱が誰でも簡単、且つ、迅速に出来、且つ、食べ零しがあっても確実にキャッチする為、床面上に落下して汚れる心配が無く、しかも袖部の汚れも防止可能にする為、乳幼児を持つ多くの家庭に寄与する点で産業上の利用可能性を有する。
【図面の簡単な説明】
【００１７】
【図１】この考案の一実施例を示し、正面図である。
【図２】この考案の一実施例を示し、（Ａ）は袖元背面係止部固定時の背面図で、（Ｂ）は袖元背面係止部の係止部材取付詳細を示す背面図である。
【図３】この考案の使用例を示し、ポケット部を反転した時の正面図である。
【図４】この考案の使用例を示し、（Ａ）は図３のａ−ａ矢視断面拡大図で、（Ｂ）は図４（Ａ）のａ部拡大詳細図で、（Ｃ）は図４（Ａ）のｂ部拡大詳細図である。
【符号の説明】
【００１８】
１  エプロン胸当
１ａ  エプロン胸当の表布地
１ｂ  エプロン胸当の裏布地
２  ポケット
２ａ  ポケットの表布地
２ｂ  ポケットの裏布地
３ａ  左長袖
３ｂ  右長袖
３ａ’  左側重合部
３ｂ’  右側重合部
４ａ  縁飾部材
４ｂ  縁飾部材
４ｃ  縁飾部材
Ｆ  係止部材（左表面）
Ｆ’  係止部材（右裏面）
【図１】
0003120515.tif 000003
【図２】
0003120515.tif 000004
【図３】
0003120515.tif 000005
【図４】
0003120515.tif 000006